(57)【要約】【課題】  ２つ方向の変位のために調節可能なスライドレールアセンブリを提供すること。【解決手段】  スライドレールアセンブリは第１のレールと、第２のレールと、ブロック部材とを含む。ブロック部材は第１のレールの後端に隣接して配置され、ブロック状態になるように又はブロック状態から解除されるように操作可能である。ブロック状態にあるブロック部材は第２のレールの後端をブロックする役割を果たす。ブロック部材がブロック状態になく、第２のレールが第１のレールに対して変位された後で後方伸長位置に到達した場合、第２のレールの後端は第１のレールの後端を越えて延在する。【選択図】  図３
2019181148.tif 000002
【特許請求の範囲】
【請求項１】
第１のレールと、
第２のレールであって、該第２のレールが前記第１のレールに対して第１の方向に変位された後で前方伸長位置に到達した場合、該第２のレールの前端は前記第１のレールの前端を越えて延在する、第２のレールと、
前記第１のレールの後端に隣接して配置されるブロック部材であって、該ブロック部材はブロック状態になるように又はブロック状態から解除されるように操作可能である、ブロック部材と、
を含むスライドレールアセンブリであって、
前記ブロック部材がブロック状態にあり、前記第２のレールが前記第１のレールに対して前記前方伸長位置から第２の方向に変位された後で引っ込め位置に到達した場合、前記第２のレールの後端は前記ブロック部材によってブロックされ、
前記ブロック部材がブロック状態になく、前記第２のレールが前記第１のレールに対して前記引っ込め位置から第２の方向に変位された後で後方伸長位置に到達した場合、前記第２のレールの後端は前記第１のレールの後端を越えて延在する、スライドレールアセンブリ。
【請求項２】
前記スライドレールアセンブリの伸長長さを伸ばすために前記第２のレールに可動に接続される第３のレールをさらに含む、請求項１に記載のスライドレールアセンブリ。
【請求項３】
前記第１のレールは上壁と、下壁と、該上壁及び該下壁の間で延在する側壁とを含み、該上壁、該下壁及び該側壁は前記第２のレールを受容するための第１の通路を共に定義する、請求項１に記載のスライドレールアセンブリ。
【請求項４】
前記第２のレールは上壁と、下壁と、該上壁及び該下壁の間で延在する側壁とを含み、該上壁、該下壁及び該側壁は前記第３のレールを受容するための第２の通路を共に定義する、請求項２に記載のスライドレールアセンブリ。
【請求項５】
同時変位機構をさらに含み、該同時変位機構は第１の弾性要素、第１の移動要素及び係合要素を含み、
前記第１の移動要素は前記第２のレールに配置され、前記第１の移動要素は前記第１の弾性要素によって生成される弾性力に対応して初期位置にあり、
前記係合要素は前記第３のレールに配置されるとともに前記第１の移動要素の一部に対応し、
前記第３のレールが前記第１のレールに対して前記引っ込め位置から前記第１の方向に変位された場合、前記第２のレール上の前記第１の移動要素と前記第３のレール上の前記係合要素は前記第２のレール及び前記第３のレールの同時変位を可能にするために互いに当接し、
前記第１のレールは前記同時変位機構の第１の移動要素の別に部分に対応する第１の部品を含み、
前記第３のレールが前記第１のレールに対して前記第１の方向に変位された後で所定の位置に到達した場合、前記第２のレール上の第１の移動要素と前記第３のレール上の係合要素とがもはや互いに当接しないように前記第１の移動要素がガイドされて前記第１の部品によって変位される、請求項２に記載のスライドレールアセンブリ。
【請求項６】
後方ポジショニング機構をさらに含み、該後方ポジショニング機構は第２の弾性要素、第２の移動要素及び第２の部品を含み、
前記第２の移動要素は前記第２のレールに配置され、前記第２の移動要素は前記第２の弾性要素によって生成される弾性力に対応して初期位置にあり、前記第２の部品は前記第１のレールに配置されるとともに前記第２の移動要素の一部に対応し、ガイド部及びブロック壁を有し、
前記第２のレールが前記第１のレールに対して前記引っ込め位置から前記第１の方向に変位された後で所定の位置に到達した場合、前記第２の移動要素はガイドされて前記ガイド部によって斜めに傾斜され、その結果前記第２のレールが前記第１のレールに対して前記第２の方向に自由に変位できないように前記ブロック壁と当接し、
前記第３のレールは前記第２の移動要素の別の部分に対応するリリース部材を含み、
前記第３のレールが前記第１のレールに対して前記第２の方向に変位された後で所定の位置に到達した場合、前記第２の移動要素がガイドされて前記リリース部材に変位され、それによりもはや前記ブロック壁に当接していない、請求項２に記載のスライドレールアセンブリ。
【請求項７】
前記第３のレールに配置される第１の突起と、前記第２のレールに配置されるとともに該第１の突起に対応する第２の突起とをさらに含み、
前記第３のレールが前記第２のレールに対して前記第２の方向に変位された後で所定の位置に到達した場合、前記第１の突起及び前記第２の突起は互いに当接する、請求項２に記載のスライドレールアセンブリ。
【請求項８】
前記第１のレールは前記第１のレールの後端に隣接する孔を有し、
前記ブロック部材はブロック部を含み、前記ブロック部材のブロック部は前記第１のレールの孔の内部又は外に位置するように操作可能であり、
前記ブロック部が前記第１のレールの孔の内部に位置する場合、前記ブロック部は前記第２のレールの後端をブロックする役割を果たし、
前記ブロック部材は前記ブロック部に接続される操作アームを含む、請求項１に記載のスライドレールアセンブリ。
【請求項９】
前方ポジショニング機構をさらに含み、該前方ポジショニング機構は第１のブロック区画を有する操作部材と、前記第１のレールに設けられる第２のブロック区画とを含み、該操作部材は前記第３のレールの前端に隣接して可動に配置され、
前記第３のレールが前記第１のレールに対して引っ込め位置にある場合、前記操作部材の第１のブロック区画と前記第１のレール上の第２のブロック区画とは前記第３のレールが前記第１のレールに対して前記第１の方向に変位するのを防止するために互いに当接し、
前記操作部材の第１のブロック区画と前記第１のレール上の第２のブロック区画とがもはや互いに当接しないように前記操作部材が操作及び変位された場合、前記第３のレールは前記第１のレールに対して前記第１の方向に変位可能であり、
前記スライドレールアセンブリは前記操作部材に弾性力を加えるための接続バネをさらに含み、前記操作部材は前記接続バネの弾性力に対応して初期位置で維持され、それにより前記第３のレールが前記第１のレールに対して前記引っ込め位置にある場合に前記第１のブロック区画と前記第２のブロック区画とが互いに当接した状態で維持し、
前記操作部材は前記第３のレールに枢結され、
前記操作部材は前記第２のレールの前端を越えて延在するハンドルを含む、請求項２に記載のスライドレールアセンブリ。
【請求項１０】
前方ポスト及び後方ポストを含むラックと、
前記前方ポスト及び前記後方ポストに取り付けられるスライドレールアセンブリと、
を含むラックシステムであって、
前記スライドレールアセンブリは、
第１のレールと、
第２のレールであって、該第２のレールが前記第１のレールに対して第１の方向に変位された後で前方伸長位置に到達した場合、該第２のレールの前端は前記ラックの前方ポストを越えて延在する、第２のレールと、
前記第１のレールの後端に隣接して配置されるブロック部材であって、該ブロック部材はブロック状態になるように又はブロック状態から解除されるように操作可能である、ブロック部材と、を含み、
前記ブロック部材がブロック状態にあり、前記第２のレールが前記第１のレールに対して前記前方伸長位置から第２の方向に変位された後で引っ込め位置に到達した場合、前記第２のレールの後端は前記ブロック部材によってブロックされ、
前記ブロック部材がブロック状態になく、前記第２のレールが前記第１のレールに対して前記引っ込め位置から第２の方向に変位された後で後方伸長位置に到達した場合、前記第２のレールの後端は前記ラックの後方ポストを越えて延在する、ラックシステム。
【発明の詳細な説明】
【技術分野】
【０００１】
本発明はスライドレールアセンブリに関し、より具体的には２つの方向への変位のために調節可能なスライドレールアセンブリに関する。
【背景技術】
【０００２】
特許文献１には双方向スライドレールが開示されている。しかしながら、このスライドレールはラック上の固定位置に一度取り付けられると、ラックの後端を越えて伸長することができないのに加えてラックの前方向に伸長させることができない。したがって、実際の使用においてスライドレールを改善する余地が依然としてある。
【先行技術文献】
【特許文献】
【０００３】
【特許文献１】米国特許出願公開２０１４／０２６５７９３号明細書
【特許文献２】米国特許５８７１２６５号明細書
【発明の概要】
【０００４】
本発明は、双方向の変位のために調節可能なスライドレールアセンブリに関する。
【課題を解決するための手段】
【０００５】
本発明の一態様によれば、スライドレールアセンブリは第１のレールと、第２のレールと、ブロック部材とを含む。第２のレールが第１のレールに対して第１の方向に変位された後で前方伸長位置に到達した場合、第２のレールの前端は第１のレールの前端を越えて延在する。ブロック部材は第１のレールの後端に隣接して配置され、ブロック状態になるように又はブロック状態から解除されるように操作可能である。ブロック部材がブロック状態にあり、第２のレールが第１のレールに対して前方伸長位置から第２の方向に変位された後で引っ込め位置（retracted  position）に到達した場合、第２のレールの後端はブロック部材によってブロックされる。ブロック部材が操作されてそれによりブロック状態から解除されると第２のレールは第２のレールの後端が第１のレールの後端を越えて延在するように第１のレールに対して引っ込め位置から後方伸長位置に第２の方向に変位できる。
【０００６】
スライドレールアセンブリはスライドレールアセンブリの伸長長さを伸ばすために第２のレールに可動に接続される第３のレールをさらに含むことが好ましい。
【０００７】
第１のレールは上壁と、下壁と、該上壁及び該下壁の間で延在する側壁とを含み、第１のレールの上壁、下壁及び側壁は第２のレールを受容するための第１の通路を共に定義することが好ましい。
【０００８】
第２のレールは上壁と、下壁と、該上壁及び該下壁の間で延在する側壁とを含み、第２のレールの上壁、下壁及び側壁は第３のレールを受容するための第２の通路を共に定義することが好ましい。
【０００９】
スライドレールアセンブリは同時変位機構をさらに含むことが好ましい。同時変位機構は第１の弾性要素、第１の移動要素及び係合要素を含む。第１の移動要素は第２のレールに配置され、第１の弾性要素によって生成される弾性力に対応して初期位置にある。係合要素は第３のレールに配置されるとともに第１の移動要素の一部に対応する。第３のレールが第１のレールに対して引っ込め位置から第１の方向に変位された場合、第２のレール上の第１の移動要素と第３のレール上の係合要素とは第２のレール及び第３のレールの同時変位を可能にするために互いに当接する。
【００１０】
第１のレールは同時変位機構の第１の移動要素の別に部分に対応する第１の部品を含むことが好ましい。第３のレールが第１のレールに対して第１の方向に変位された後で所定の位置に到達した場合、第１の移動要素がガイドされて第１の部品によって変位される。その結果、第２のレール上の第１の移動要素と第３のレール上の係合要素とはもはや互いに当接しない。
【００１１】
スライドレールアセンブリは後方ポジショニング機構をさらに含むことが好ましい。後方ポジショニング機構は第２の弾性要素、第２の移動要素及び第２の部品を含む。第２の移動要素は第２のレールに配置され、第２の弾性要素によって生成される弾性力に対応して初期位置にある。第２の部品は第１のレールに配置されるとともに第２の移動要素の一部に対応し、ガイド部及びブロック壁を有する。第２のレールが第１のレールに対して引っ込め位置から第１の方向に変位された後で所定の位置に到達した場合、第２の移動要素はガイドされてガイド部によって斜めに傾斜され、ブロック壁と当接する。その結果、第２のレールは第１のレールに対して第２の方向に自由に変位できない。
【００１２】
第３のレールは第２の移動要素の別の部分に対応するリリース部材を含むことが好ましい。第３のレールが第１のレールに対して第２の方向に変位された後で所定の位置に到達した場合、第２の移動要素がガイドされてリリース部材に変位され、それによりもはやブロック壁に当接していない。
【００１３】
第１の突起が第３のレールに配置され、第１の突起に対応する第２の突起が第２のレールに配置されることが好ましい。第３のレールが第２のレールに対して第２の方向に変位された後で所定の位置に到達した場合、第１の突起及び第２の突起は互いに当接する。
【００１４】
第１のレールは第１のレールの後端に隣接する孔を有し、ブロック部材はブロック部を含むことが好ましい。ブロック部材のブロック部は第１のレールの孔の内部又は外に位置するように操作可能である。ブロック部が第１のレールの孔の内部に位置する場合、ブロック部は第２のレールの後端をブロックする役割を果たす。
【００１５】
ブロック部材はブロック部に接続される操作アームを有することが好ましい。
【００１６】
スライドレールアセンブリは前方ポジショニング機構をさらに含むことが好ましい。前方ポジショニング機構は第１のブロック区画を有する操作部材と、第１のレールに設けられる第２のブロック区画とを含む。操作部材は第３のレールの前端に隣接して可動に配置される。第３のレールが第１のレールに対して引っ込め位置にある場合、操作部材の第１のブロック区画と第１のレール上の第２のブロック区画とは互いに当接し、第３のレールが第１のレールに対して第１の方向に変位するのを不可能にする。操作部材の第１のブロック区画と第１のレール上の第２のブロック区画とがもはや互いに当接しないように操作部材が操作及び変位された場合、第３のレールは第１のレールに対して第１の方向に変位できる。
【００１７】
スライドレールアセンブリは操作部材に弾性力を加えるための接続バネをさらに含むことが好ましい。操作部材は接続バネの弾性力に対応して初期位置で維持され、それにより第３のレールが第１のレールに対して引っ込め位置にある場合に第１のブロック区画と第２のブロック区画とが互いに当接した状態で維持する。
【００１８】
操作部材は第３のレールに枢結されることが好ましい。
【００１９】
操作部材は第２のレールの前端を越えて延在するハンドルを有することが好ましい。
【００２０】
本発明の別の態様によれば、ラックシステムはラックと、前述の実施形態のいずれかに係るスライドレールアセンブリとを含む。ラックは前方ポスト及び後方ポストを含む。スライドレールアセンブリは第２のレールが第１のレールに対して前方伸長位置に到達した場合に第２のレールの前端がラックの前方ポストを越えて延在するように、また第２のレールが第１のレールに対して後方伸長位置に到達した場合に第２のレールの後端がラックの後方ポストを越えて延在するようにラックの前方ポスト及び後方ポストに取り付け可能である。
【図面の簡単な説明】
【００２１】
【図１】図１は、本発明の一実施形態に係るラックシステムの斜視図である。
【図２】図２は、本発明の一実施形態に係るスライドレールアセンブリの斜視図である。
【図３】図３は、本発明の一実施形態に係るスライドレールアセンブリの分解斜視図である。
【図４】図４は、本発明の一実施形態に係るスライドレールアセンブリの概略図であり、特に構成要素の構成を示す。
【図５】図５は、図４の○で囲った領域Ａの拡大図である。
【図６】図６は、図３の○で囲った領域Ｂの拡大図である。
【図７】図７は、本発明の一実施形態に係るスライドレールアセンブリの概略図であり、前側ポジショニング機構が操作されているか又はリリースされている状態を示す。
【図８】図８は、図７の○で囲った領域Ｃの拡大図である。
【図９】図９は、本発明の一実施形態に係るスライドレールアセンブリの概略図であり、スライドレールアセンブリが前方に伸長されて第１の伸長位置にある状態を示す。
【図１０】図１０は、本発明の一実施形態に係るスライドレールアセンブリの概略図であり、スライドレールアセンブリが前方に伸長されて第２の伸長位置にある状態を示す。
【図１１】図１１は、本発明の一実施形態に係るスライドレールアセンブリの概略図であり、伸張位置から引っ込め位置の方に変位された後で第１の位置にあるスライドレールアセンブリを示す。
【図１２】図１２は、本発明の一実施形態に係るスライドレールアセンブリの概略図であり、伸張位置から引っ込め位置の方に変位された後で第２の位置にあるスライドレールアセンブリを示す。
【図１３】図１３は、図１２の○で囲った領域Ｄの拡大図である。
【図１４】図１４は、本発明の一実施形態に係るスライドレールアセンブリのもはや互いに当接していない第２の移動要素及び第２の部品を示す概略図である。
【図１５】図１５は、本発明の一実施形態に係るスライドレールアセンブリの概略図であり、ラックに取り付けられるとともに前方に変位された後で前方伸長位置に伸長されたスライドレールアセンブリを示す。
【図１６】図１６は、本発明の一実施形態に係るスライドレールアセンブリの概略図であり、ラックに取り付けられるとともに引っ込め位置に引っ込められたスライドレールアセンブリを示す。
【図１７】図１７は、本発明の一実施形態に係るスライドレールアセンブリの概略図であり、ラックに取り付けられるとともに後方伸長位置に伸長されたスライドレールアセンブリを示す。
【発明を実施するための形態】
【００２２】
図１を参照して、本発明の一実施形態に係るラックシステムはラック２０を含む。ラック２０は一対の前方ポスト２２ａ及び一対の後方ポスト２２ｂを含む。一対のスライドレールアセンブリ２４はそれぞれラック２０の対応する前方ポスト２２ａ及び対応する後方ポスト２２ｂの間に取り付けられ、電子機器等の物体２５を保持するように構成されている。
【００２３】
図２及び図３を参照して、スライドレールアセンブリ２４は第１のレール２６、第２のレール２８及び第３のレール３０を含む。第１のレール２６は上壁３２ａと、下壁３２ｂと、上壁３２ａ及び下壁３２ｂの間で延在する側壁３４とを含む。上壁３２ａ、下壁３２ｂ及び側壁３４は第２のレール２８を受容するための第１の通路３６を共に定義する。
【００２４】
同様に、第２のレール２８は上壁３８ａと、下壁３８ｂと、上壁３８ａ及び下壁３８ｂの間で延在する側壁４０とを含む。上壁３８ａ、下壁３８ｂ及び側壁４０は第３のレール３０を受容するための第２の通路４２を共に定義する。スライドレールアセンブリ２４の伸長長さを増やすために第３のレール３０が設けられている。
【００２５】
図４を参照して、スライドレールアセンブリ２４は同時変位機構４４をさらに含む。同時変位機構４４は第１の弾性要素４６、第１の移動要素４８及び係合要素５０を含む。第１の移動要素４８は第２のレール２８に配置され、第１の弾性要素４６により生成される弾性力に対応して初期位置にある。係合要素５０は第３のレール３０に配置され、第１の移動要素４８の一部に対応する。第１の移動要素４８は可動に（例えば枢動可能に）第２のレール２８に接続されることが好ましい。第１のレール２６は、同時変位機構４４の第１の移動要素４８の別の部分に対応する第１の部品５２を含む。
【００２６】
スライドレールアセンブリ２４は後方ポジショニング機構５４をさらに含む。後方ポジショニング機構５４は第２の弾性要素５６、第２の移動要素５８及び第２の部品６０を含む。第２の移動要素５８は第２のレール２８に配置され、第２の弾性要素５６により生成される弾性力に対応して初期位置にある。第２の部品は第１のレール２６に配置され、第２の移動要素５８の一部に対応する。第２の移動要素５８は可動に（例えば枢動可能に）第２のレール２８に接続されることが好ましい。第３のレール３０は、第２の移動要素５８の別の部分に対応するリリース部材５１を含む。
【００２７】
スライドレールアセンブリ２４は前方ポジショニング機構６２をさらに含む。図５及び図６を参照して、前方ポジショニング機構６２は第１のブロック区画６６を有する操作部材６４及び第２のブロック区画６８を含む。第１のブロック区画６６は操作部材６４に設けられる。第２のブロック区画６８は、例えば第１のレール２６に又は対応する前方ポスト２２ａに設けられ得る。第２のブロック区画６８は第１のレール２６の側壁３４に対して突出し、第１のブロック区画６６に対応し得る。操作部材６４は第３のレール３０の前端３０ａに隣接して可動に配置される。例えば、操作部材６４はリベット等の枢結要素を通じて第３のレール３０に枢動可能に設けられる。第３のレール３０が第１のレール２６に対して引っ込め位置Ｐ１にある場合、操作部材６４の第１のブロック区画６６は、第３のレール３０が第１のレール２６に対して第１の方向Ｄ１に変位できないように第１のレール２６上の第２のブロック区画６８と当接する。操作部材６４に弾性力を加えるために、接続バネ７０が追加で設けられることが好ましい。ここでは、一例として、接続バネ７０は引張バネであり、操作部材６４と第３のレール３０とにそれぞれ接続された２つの端部を有する。実際には、接続バネ７０はトーションバネ等の他の種類のバネであってもよい。操作部材６４は接続バネ７０の弾性力に対応して初期位置にとどまるため、第３のレール３０が第１のレール２６に対して引っ込め位置Ｐ１にある場合、第１のブロック区画６６及び第２のブロック区画６８は互いに当接した状態で維持される。操作部材６４は第３のレール３０に可動に（例えば枢動可能に）に接続されることが好ましい。操作部材６４はハンドル７２を含む。ハンドル７２は第２のレール２８の前端２８ａを越えて延在する。
【００２８】
加えて、スライドレールアセンブリ２４の第３のレール３０には第１の突起７５ａが配置され、第２のレール２８には第１の突起７５ａに対応する第２の突起７５ｂが配置される。第１の突起７５ａ及び第２の突起７５ｂは、それらが所定の相対位置にある場合に互いに当接する。例えば、第３のレール３０が第２のレール２８に対して第２の方向Ｄ２（第１の方向Ｄ１の反対方向）に変位されるか又は引っ込められる過程で、第１の突起７５ａ及び第２の突起７５ｂは、第１のレール２６に対する第２のレール２８の引っ込めを促進するために互いに当接する。
【００２９】
図３及び図４に示すように、スライドレールアセンブリ２４は第１のレール２６の後端２６ｂの近くに孔を有するとともに、第１のレール２６の後端２６ｂに隣接して配置される（例えば、第１のレール２６又は対応する後方ポスト２２ｂに取り付けられる）ブロック部材７６を有する。ブロック部材７６はブロック部７８を含む。ブロック部材７６のブロック部７８は第２のレール２８の後端２８ｂに対応する。例えば、ブロック部７８は第１のレール２６の孔７４内に位置して第１のレール２６の側壁３４に対して突出することにより第２のレール２８の後端２８ｂをブロックするために操作することができる。ブロック部材７６はブロック部７８に接続される操作アーム８０を有することが好ましい。
【００３０】
図７〜図１０を参照して、操作部材６４の第１のブロック区画６６と第１のレール２６上の第２のブロック区画６８とが互いにもはや当接しないように操作部材６４が操作され、力Ｆ１によって変位されると、第３のレール３０は第１のレール２６に対して第１の方向Ｄ１に変位できる。第３のレール３０が引っ込め位置Ｐ１から第１のレール２６に対して第１の方向Ｄ１に変位されると、第２のレール２８上の第１の移動要素４８と第３のレール３０上の係合要素５０とが互いに当接するため、第２のレール２８及び第３のレール３０を同時に変位することができる。第３のレール３０が第１のレール２６に対して第１の方向Ｄ１に変位された後で所定の位置に到達すると、第１の移動要素４８がガイドされるため、第１のレール２６の第１の部品５２によって変位される。その結果、第２のレール２８上の第１の移動要素４８及び第３のレール３０上の係合要素５０は図１０に示すようにもはや互いに当接していない。第３のレール３０は第２のレール２８に対して第１の方向Ｄ１にさらに変位させることができる。
【００３１】
他方、第２のレール２８が引っ込め位置Ｐ１から第１のレール２６に対して第１の方向Ｄ１に変位された後で所定の位置に到達すると、第２の移動要素５８がガイドされて第１のレール２６の第２の部品６０のガイド部８２により斜めに傾斜される結果、第２の部品６０のブロック壁８４と当接する。これにより第２のレール２８が第１のレール２６に対して第１の方向Ｄ１の反対方向に自由に変位するのが防止される。
【００３２】
図１１〜図１４を参照して、第３のレール３０が前方伸長位置Ｅ１から第１のレール２６に対して第２の方向Ｄ２（即ち、第１の方向Ｄ１の反対方向）に変位された後で所定の位置に到達すると、第２のレール２８上の第２の移動要素５８がガイドされて第３のレール３０のリリース部材５１によって斜めに傾斜されるため、第１のレール２６の第２の部品６０のブロック壁８４ともはや当接しない。そのため、図４に示すように第２のレール２８を第１のレール２６に対して引っ込め位置Ｐ１へと第２の方向Ｄ２に変位させることができる。第３のレール３０が第２のレール２８に対して第２の方向Ｄ２に変位された後で所定の位置に到達すると、第３のレール３０上の第１の突起７５ａが第２のレール２８上の第２の突起７５ｂと当接して第２のレール２８の第１のレール２６に対する引っ込め位置Ｐ１からの変位が促進される。
【００３３】
使用の点に関して、スライドレールアセンブリ２４は前述したようにラック２０の対応する前方ポスト２２ａ及び対応する後方ポスト２２ｂに取り付けられる。スライドレールアセンブリ２４のブロック部材７６が操作されて、それによりブロック状態Ｓ１にされ、第２のレール２８が第１のレール２６に対して前方伸長位置Ｅ１から第２の方向Ｄ２の方に変位された後で引っ込め位置Ｒ１に到達した場合、第２のレール２８の後端２８ｂは図４に示すようにブロック部材７６によってブロックされる。
【００３４】
図１５〜図１７を参照して、スライドレールアセンブリ２４のブロック部材７６はブロック状態Ｓ１が解除されるように操作できる。例えば、好ましい実施形態では、ブロック部材７６は境界を備えるスロット８６を有し、ポジショニング要素８８はスロット８６を通ってブロック部材７６を第１のレール２６に接続する。そのため、力Ｆ２をブロック部材７６に加えて、（ブロック部材７６がもはやブロック状態Ｓ１にない状態を示す）図１７に示すようにブロック部材７６をブロック状態Ｓ１から解除することができる。より具体的には、ブロック部材７６のブロック部７８は第１のレール２６の孔７４から出すことができるため、第２のレール２８のブロックを不能にできる。ブロック部材７６のブロック状態Ｓ１から解除されると、第２のレール２８は第１のレール２６に対して第２の方向Ｄ２の方に引っ込め位置Ｐ１から後方伸長位置Ｅ２に変位させることができる。第２のレール２８が後方伸長位置Ｅ２にある場合、第２のレール２８の後端２８ｂは第１のレール２６の後端２６ｂを越えて伸長する。
【００３５】
まとめると、スライドレールアセンブリ２４の第２のレール２８が第１のレール２６に対して第１の方向Ｄ１に変位された後で前方伸長位置Ｅ１に到達した場合、第２のレール２８の前端２８ａは図１５に示すようにラック２０の対応する前方ポスト２２ａ（及び第１のレール２６の前端２６ａ）を越えて延在する。ブロック部材７６がブロック状態Ｓ１にあり、第２のレール２８が第１のレール２６に対して第２の方向Ｄ２の方に前方伸長位置Ｅ１から変位された後で引っ込め位置Ｐ１に到達した場合、第２のレール２８の後端２８ｂは図１６に示すようにブロック部材７６によってブロックされる。ブロック部材７６がブロック状態Ｓ１から出されて、第２のレール２８が第１のレール２６に対して第２の方向Ｄ２の方に引っ込め位置Ｐ１から変位された後で後方伸長位置Ｅ２に到達した場合、第２のレール２８の後端２８ｂは図１７に示すようにラック２０の対応する後方ポスト２２ｂ（及び第１のレール２６の後端２６ｂ）を越えて延在する。
【００３６】
前述の構成により、本願に開示のスライドレールアセンブリを実際のニーズに従って双方向スライドレールに調節することができる。さらに、スライドレールアセンブリの複数の機構（例えば、同時変位機構４４、後方ポジショニング機構５４及び前方ポジショニング機構６２）は本発明を様々な産業上の用途に適合するのに役立つ。
【００３７】
上述の好ましい実施形態を通じて本発明を開示してきたが、これらの実施形態は本発明の範囲を限定することを意図したものではない。出願人が求める特許の保護範囲は添付の特許請求の範囲によって定義される。
【符号の説明】
【００３８】
２０  ラック
２２ａ  前方ポスト
２２ｂ  後方ポスト
２４  スライドレールアセンブリ
２５  物体
２６  第１のレール
２８  第２のレール
３０  第３のレール
３６  第１の通路
４２  第２の通路
４４  同時変位機構
４６  第１の弾性要素
４８  第１の移動要素
５０  係合要素
５２  第１の部品
５４  後方ポジショニング機構
５６  第２の弾性要素
５８  第２の移動要素
６０  第２の部品
６２  前方ポジショニング機構
６４  操作部材
６６  第１のブロック区画
６８  第２のブロック区画
７０  接続バネ
７２  ハンドル
７４  孔
７６  ブロック部材
７８  ブロック部
８０  操作アーム
８２  ガイド部
８４  ブロック壁
８６  スロット
８８  ポジショニング要素
【図１】
2019181148.tif 000003
【図２】
2019181148.tif 000004
【図３】
2019181148.tif 000005
【図４】
2019181148.tif 000006
【図５】
2019181148.tif 000007
【図６】
2019181148.tif 000008
【図７】
2019181148.tif 000009
【図８】
2019181148.tif 000010
【図９】
2019181148.tif 000011
【図１０】
2019181148.tif 000012
【図１１】
2019181148.tif 000013
【図１２】
2019181148.tif 000014
【図１３】
2019181148.tif 000015
【図１４】
2019181148.tif 000016
【図１５】
2019181148.tif 000017
【図１６】
2019181148.tif 000018
【図１７】
2019181148.tif 000019